(57)【要約】【課題】この発明は、サイズの異なる予備電池を保持可能として筐体の共通化を実現し、低コスト化を図ることができる火災受信機およびその筐体を得る。【解決手段】筐体は、扉体が本体１０の前面に開閉可能に取り付けられて箱形に構成される。予備電池２３は、扉体に相対する本体１０の底板１１の電池装着部１３に取り付けられた電池支え板１９により下支えされ、底板１１の電池装着部１３に取り付けられた面ファスナ１８により連結されて本体１０に保持されている。【選択図】図８
2013200756.tif 000002
【特許請求の範囲】
【請求項１】
商用電源が供給されるとともに、本体、および該本体に開閉可能に取り付けられた扉体からなる樹脂製の筐体内に予備電池を装備し、火災感知器の検知信号を受信して火災の発生を報知する火災受信機であって、
上記予備電池は、上記扉体に相対する上記本体の底板に面ファスナにより保持されていることを特徴とする火災受信機。
【請求項２】
上記予備電池は、上記本体の底板に取り付けられた電池支え板により下支えされていることを特徴とする請求項１記載の火災受信機。
【請求項３】
樹脂製の本体、および該本体に開閉可能に取り付けられた樹脂製の扉体からなり、該扉体に相対する該本体の底板に予備電池が装備される電池装着部を有する火災受信機の筐体であって、
上記電池装着部は、上記予備電池を保持する面ファスナが着脱可能に構成されていることを特徴とする火災受信機の筐体。
【請求項４】
上記電池装着部の一側に凹設された嵌着凹部を備え、上記面ファスナに保持される上記予備電池より小さい予備電池が該嵌着凹部に嵌着させて保持できるように構成されている請求項３記載の火災受信機の筐体。
【請求項５】
上記電池装着部は、上記予備電池を下支えする電池支え板が締着固定可能に構成されていることを特徴とする請求項３又は請求項４記載の火災受信機の筐体。
【発明の詳細な説明】
【技術分野】
【０００１】
この発明は、火災などに関する受信機からなる火災受信機およびその筐体に関し、特にサイズの異なる予備電池を保持できる電池保持構造に関するものである。
【背景技術】
【０００２】
従来の火災受信機は、火災感知器、ガス漏れ検知器、防排煙機器などが接続され、火災発生時に、火災感知器の検知信号を受信して、防火戸などの防排煙機器を起動し、火災感知器の動作や防排煙機器の起動の履歴を、プリンタ・バッファを介してプリンタに印字するように構成されている（例えば、特許文献１参照）。
【０００３】
この従来の火災受信機には、商用電源が供給されているが、蓄電池が設けられており、停電時にも、火災感知器などの動作が可能となっている。
【先行技術文献】
【特許文献】
【０００４】
【特許文献１】特開平１０−３０２１７９号公報
【発明の概要】
【発明が解決しようとする課題】
【０００５】
蓄電池は火災受信機の筐体内に配設されるが、火災受信機の機種に応じて要求される蓄電容量が異なるので、搭載される蓄電池のサイズが異なる。そこで、筐体が機種毎に異なり、低コスト化が図れないという課題があった。
【０００６】
この発明は、上記の課題を解決するためになされたものであり、サイズの異なる予備電池を保持可能として汎用性を高め、低コスト化を図ることができる火災受信機およびその筐体を得ることを目的とする。
【課題を解決するための手段】
【０００７】
この発明による火災受信機は、商用電源が供給されるとともに、本体、および該本体に開閉可能に取り付けられた扉体からなる樹脂製の筐体内に予備電池を装備し、火災感知器の検知信号を受信して火災の発生を報知する火災受信機であって、上記予備電池は、上記扉体に相対する上記本体の底板に面ファスナにより保持されている。
【発明の効果】
【０００８】
この発明によれば、予備電池を面ファスナで本体の底板に保持しているので、大きさに拘らず予備電池を保持できる。そこで、火災受信機の筐体を共通化でき、低コスト化が図られる。
【図面の簡単な説明】
【０００９】
【図１】この発明の一実施の形態に係る火災受信機を示す正面図である。
【図２】この発明の一実施の形態に係る火災受信機の筐体を構成する本体の電池装着部周りを示す要部正面図である。
【図３】この発明の一実施の形態に係る火災受信機の筐体を構成する本体の電池装着部周りを示す要部斜視図である。
【図４】この発明の一実施の形態に係る火災受信機の筐体を構成する本体に小型の予備電池を装着した状態を示す要部斜視図である。
【図５】この発明の一実施の形態に係る火災受信機の筐体を構成する本体に大型の予備電池の装着治具を取り付けた状態を示す要部正面図である。
【図６】この発明の一実施の形態に係る火災受信機の筐体を構成する本体に大型の予備電池の装着治具を取り付けた状態を示す要部斜視図である。
【図７】この発明の一実施の形態に係る火災受信機の筐体を構成する本体に大型の予備電池を装着した状態を示す要部正面図である。
【図８】この発明の一実施の形態に係る火災受信機の筐体を構成する本体に大型の予備電池を装着した状態を示す要部斜視図である。
【発明を実施するための形態】
【００１０】
以下、本発明による火災受信機およびその筐体の好適な実施の形態につき図面を用いて説明する。
【００１１】
図１はこの発明の一実施の形態に係る火災受信機を示す正面図、図２はこの発明の一実施の形態に係る火災受信機の筐体を構成する本体の電池装着部周りを示す要部正面図、図３はこの発明の一実施の形態に係る火災受信機の筐体を構成する本体の電池装着部周りを示す要部斜視図、図４はこの発明の一実施の形態に係る火災受信機の筐体を構成する本体に小型の予備電池を装着した状態を示す要部斜視図、図５はこの発明の一実施の形態に係る火災受信機の筐体を構成する本体に大型の予備電池の装着治具を取り付けた状態を示す要部正面図、図６はこの発明の一実施の形態に係る火災受信機の筐体を構成する本体に大型の予備電池の装着治具を取り付けた状態を示す要部斜視図、図７はこの発明の一実施の形態に係る火災受信機の筐体を構成する本体に大型の予備電池を装着した状態を示す要部正面図、図８はこの発明の一実施の形態に係る火災受信機の筐体を構成する本体に大型の予備電池を装着した状態を示す要部斜視図である。なお、図２乃至図８では、説明の便宜上、予備電池の装着に関係しない部品を省略している。
【００１２】
図１において、火災受信機１は、扉体３が本体（図示せず）の前面に開閉可能に取り付けられた箱形の筐体２の内部に、電気回路部や外部からの信号線（回線）が接続される端子などが実装された回路基板など（図示せず）を収納して構成され、例えば建物の管理室の壁に設置される。そして、電源などの状態を表示する表示灯群４、各種の操作を行うための操作部５、および監視区域とその監視区域における監視する状態情報を表示する地区窓６などが扉体３に設けられ、筐体２内部で回路基板などと電気的な接続がなされる。
【００１３】
このように構成された火災受信機１には、火災感知器、ガス漏れ検知器、防排煙機器などが接続されている。そして、火災発生時、火災受信機１は、火災感知器の検知信号を受信し、防火戸などの防排煙機器を起動する。そして、火災検知信号を受信した回線に対応する地区窓６の地区灯７を点灯させ、火災発生を報知する。そこで、管理者は、地区灯７が点灯した地区窓６の表示から、例えば、第１会議室（監視区域）で火災発生（監視状態情報）を把握できる。ついで、火災受信機１は、防排煙機器の動作検知信号を受信すると、その動作検知信号を受信した回線に対応する地区窓６の地区灯７を点灯させ、防排煙機器の動作を報知する。そこで、管理者は、地区灯７が点灯した地区窓６の表示から、第１会議室（監視区域）の防排煙機器が動作（監視状態情報）したことを把握できる。
【００１４】
この火災受信機１には、商用電源が接続されるとともに、予備電池（図示せず）が装備され、停電時にも、動作可能となっている。そして、火災受信機１の機能、例えば回線数、制御する外部機器の数や種類により、予備電池に要求される電池容量が異なり、装備される予備電池のサイズが異なる。
【００１５】
ついで、筐体２の予備電池の保持構造について図２乃至図８を参照しつつ説明する。
【００１６】
図２および図３において、筐体２を構成する本体１０は、底板１１および底板１１の外周縁部から立ち上がって全周にわたって延設された周壁１２を有しており、電池装着部１３が本体１０の下部側に設けられている。なお、火災受信機１が建物の管理室の壁に設置されることから、便宜的に、壁に設置された筐体２の鉛直方向および水平方向をそれぞれ本体１０の上下方向および左右方向とする。また、本体１０および扉体３は、樹脂成型体である。
【００１７】
嵌着凹部１４は、電池容量の小さい小型の予備電池２２を嵌着できる矩形に形成され、底板１１の電池装着部１３の一側に、長手方向を左右方向に一致させて周壁１２に沿って凹設されている。電池押さえ部１５が、電池装着部１３の嵌着凹部１４の長手方向一側に本体１０と一体となるように配設されている。電池押さえ部１５は、本体１０から立設された側壁部１５ａと、電池装着部１３の他側方向に、側壁部１５ａから延設された前面壁部１５ｂとを有する略Ｌ字状に形成されている。
一対の貫通穴１６が、電池装着部１３の左右方向の略中央、かつ嵌着凹部１４より上方に位置して、上下方向に離間して形成されている。さらに、一対のねじ穴１７が、電池装着部１３の貫通穴１６の左右方向の両側に所定距離離間して、かつ嵌着凹部１４より上方に位置して形成されている。
【００１８】
また、面ファスナ１８および電池支え板１９が、図５および図６に示されるように、底板１１の電池装着部１３にプッシュリベット２０およびねじ２１により着脱可能に取り付けられている。電池支え板１９は、金属平板を略Ｊ字状に曲げ成形されている。なお、一対の貫通穴１６が面ファスナ１８の取付部となり、ねじ穴１７が電池支え板１９の締着部となる。
【００１９】
ここで、電池容量の小さい小型の予備電池２２を本体１０に装着する場合について説明する。予備電池２２は直方体に構成され、その一側を電池押さえ部１５の前面壁部１５ｂと嵌着凹部１４との間に差し込みながら、その底部側を嵌着凹部１４に嵌着する。これにより、予備電池２２は、図４に示されるように、電池押さえ部１５により抜けを防止されて、嵌着凹部１４の嵌着力により底板１１に保持される。
【００２０】
つぎに、電池容量の大きな大型の予備電池２３を本体１０に装着する場合について説明する。まず、プッシュリベット２０を面ファスナ１８に押し通して底板１１の貫通穴１６に押し込む。ついで、ねじ２１を電池支え板１９の貫通穴（図示せず）に通してねじ穴１７に締着する、これにより、面ファスナ１８および電池支え板１９が、図５および図６に示されるように、底板１１に取り付けられる。そして、予備電池２３を一対の電池支え板１９に載せ、その長さ方向の端面を電池押さえ部１５の前面壁部１５ｂの端面に押し当てる。ついで、面ファスナ１８を予備電池２３に密着させて巻き付け、面ファスナ１８の端部同士を貼り付ける。これにより、予備電池２３は、図７および図８に示されるように、電池押さえ部１５と左側の周壁１２とにより左右方向の移動が規制され、電池支え板１９により下支えされ、面ファスナ１８の連結力により手前方向の移動が規制されて底板１１に保持される。
【００２１】
この発明によれば、面ファスナ１８が底板１１の電池装着部１３に着脱可能に取り付けられ、嵌着凹部１４が電池装着部１３の一側に凹設されている。そこで、火災受信機１に要求される予備電池がサイズの小さい予備電池２２の場合には、面ファスナ１８及び電池支え板１９を取り外し、予備電池２２を嵌着凹部１４に嵌着させることにより、底板１１に保持できる。また、火災受信機１に要求される予備電池がサイズの大きい予備電池２３の場合には、面ファスナ１８及び電池支え板１９を電池装着部１３に取り付け、面ファスナ１８の端部同士を貼り付けて予備電池２３を連結することにより、底板１１に保持できる。このように、筐体２はサイズの異なる予備電池２２，２３を保持可能となり、火災受信機１における筐体２の共通化が図られ、低コスト化できる。
【００２２】
電池支え板１９を電池装着部１３に締着固定し、予備電池２３を下支えしているので、予備電池２３の保持の安定性が高められるとともに、大型の予備電池２３の重量が薄肉の周壁１２に直接作用することによる周壁１２の損傷発生を抑制できる。
【００２３】
嵌着凹部１４が電池装着部１３の一側に凹設され、電池押さえ部１５が電池装着部１３の嵌着凹部１４の長手方向一側に配設されているので、電池押さえ部１５が邪魔になることなく予備電池２３を装着できる。さらに、電池押さえ部１５が予備電池２３の長さ方向の移動を規制するので、予備電池２３の保持の安定性が高められる。
【００２４】
電池装着部１３に形成された貫通穴１６にプッシュリベット２０を押し込んで面ファスナ１８を取り付けているので、面ファスナ１８の着脱が簡易となる。
【００２５】
なお、上記実施の形態では、小型の予備電池２２を嵌着凹部１４に嵌着して本体１０に保持し、大型の予備電池２３を面ファスナ１８で本体１０に保持するものとしているが、面ファスナ１８でサイズの異なる予備電池２２，２３を本体１０に保持してもよい。この場合、電池装着部１３の上下方向位置および左右方向位置の異なる複数箇所に貫通穴１６の対を形成し、予備電池の大きさに合わせて面ファスナ１８の取付位置を変えるようにすることが望ましい。例えば、小型の予備電池に対しては、電池装着部１３の一側の高さの低い貫通穴１６の対を用いて面ファスナ１８を取り付け、大型の予備電池に対しては、電池装着部１３の左右方向の中央の高さの高い貫通穴１６の対を用いて面ファスナ１８を取り付ければよい。また、予備電池の大きさに合わせて、面ファスナ１８の長さを変えることが望ましい。
【００２６】
また、上記実施の形態では、電池装着部１３に形成された貫通穴１６にプッシュリベット２０を押し込んで面ファスナ１８を取り付けるものとしているが、面ファスナ１８の取付手段はこれに限定されず、例えば電池装着部にねじ穴を形成し、ねじをそのねじ穴に締着して面ファスナを取り付けてもよい。
【符号の説明】
【００２７】
１  火災受信機、２  筐体、３  扉体、１０  本体、１１  底板、１３  電池装着部、１４  嵌着凹部、１８  面ファスナ、１９  電池支え板、２２，２３  予備電池。
【図１】
2013200756.tif 000003
【図２】
2013200756.tif 000004
【図３】
2013200756.tif 000005
【図４】
2013200756.tif 000006
【図５】
2013200756.tif 000007
【図６】
2013200756.tif 000008
【図７】
2013200756.tif 000009
【図８】
2013200756.tif 000010